(57)【特許請求の範囲】
【請求項１】
交換機選択装置に接続された交換機群に含まれており、無線ネットワーク制御装置を介して通信端末を通信網に接続する交換機であって、
当該交換機以外の前記交換機群に含まれる他の一の交換機を特定するための特定情報を有しており当該交換機を識別する識別情報を作成する識別情報作成手段と、
前記無線ネットワーク制御装置を介して前記通信端末に前記識別情報作成手段によって作成された識別情報を通知すると共に、前記通信端末に通知する識別情報に含まれている特定情報と同一の特定情報を前記交換機選択装置に通知する情報通知手段と、
を備え、
前記情報通知手段によって前記通信端末及び前記交換機選択装置に通知される特定情報は、前記交換機選択装置と、当該特定情報を含む識別情報を前記通信端末から受信した無線ネットワーク制御装置とが、前記他の一の交換機を一意に特定できる情報である、ことを特徴とする交換機。
【請求項２】
通信端末を通信網に接続する通信制御システムであって、
前記通信端末に接続される無線ネットワーク制御装置と、
前記通信端末を前記無線ネットワークを介して前記通信網に接続する交換機と、
前記交換機を含む交換機群に接続された交換機選択装置と、
を備え、
前記交換機は、
当該交換機以外の前記交換機群に含まれる他の一の交換機を特定するための特定情報を有しており当該交換機を識別する識別情報を作成する識別情報作成手段と、
前記無線ネットワーク制御装置を介して前記通信端末に前記識別情報作成手段によって作成された識別情報を通知すると共に、前記通信端末に通知する識別情報に含まれている特定情報と同一の特定情報を前記交換機選択装置に通知する情報通知手段と、
を有し、
特定情報を含む識別情報を前記通信端末から受信した前記無線ネットワーク制御装置と、この特定情報を前記情報通知手段によって通知された前記交換機選択装置とは、この特定情報から前記他の一の交換機を一意に特定する、
ことを特徴とする通信制御システム。
【請求項３】
前記交換機選択装置は、前記交換機の利用が不可であることを検知した後に前記通信端末に対する着信要求を受けた場合、前記情報通知手段によって通知される特定情報に基づいて前記他の一の交換機を特定し、この特定した交換機に対して前記通信端末に対する着信要求に応じた着信指示を送信し、
前記無線ネットワーク制御装置は、前記交換機の利用が不可であることを検知した後に前記通信端末から通信要求を受けた場合、前記情報通知手段によって前記通信端末に通知された後に前記通信端末から受信する識別情報に含まれている特定情報に基づいて前記他の一の交換機を特定し、この特定した交換機に対して前記通信端末の通信要求に応じた通信指示を送信する、
ことを特徴とする請求項２に記載の通信制御システム。
【請求項４】
交換機選択装置に接続された交換機群に含まれており無線ネットワーク制御装置を介して通信端末を通信網に接続する交換機が行う通信制御方法であって、
前記交換機以外の前記交換機群に含まれる他の一の交換機を特定するための特定情報を有しており前記交換機を識別する識別情報を前記交換機が作成する識別情報作成ステップと、
前記識別情報作成ステップにおいて作成された識別情報を前記無線ネットワーク制御装置を介して前記通信端末に前記交換機が通知すると共に、前記通信端末に通知する識別情報に含まれている特定情報と同一の特定情報を前記交換機選択装置に前記交換機が通知する情報通知ステップと、
を含み、
前記情報通知ステップにおいて前記通信端末及び前記交換機選択装置に通知される特定情報は、前記交換機選択装置と、当該特定情報を含む識別情報を前記通信端末から受信した無線ネットワーク制御装置とが、前記他の一の交換機を一意に特定できる情報である、ことを特徴とする通信制御方法。
【請求項５】
前記交換機選択装置は、前記交換機の利用が不可であることを検知した後に前記通信端末に対する着信要求を受けた場合、前記情報通知ステップにおいて通知された特定情報に基づいて前記他の一の交換機を特定し、この特定した交換機に対して前記通信端末に対する着信要求に応じた着信指示を送信する着信指示ステップと、
前記無線ネットワーク制御装置は、前記交換機の利用が不可であることを検知した後に前記通信端末から通信要求を受けた場合、前記交換機が情報通知ステップにおいて前記通信端末に通知した後に前記通信端末から受信する識別情報に含まれている特定情報に基づいて前記他の一の交換機を特定し、この特定した交換機に対して前記通信端末の通信要求に応じた通信指示を送信する通信指示ステップと、
を更に含む、ことを特徴とする請求項４に記載の通信制御方法。
【発明の詳細な説明】
【技術分野】
【０００１】
本発明は、交換機、通信制御システム、及び、通信制御方法に関する。
【背景技術】
【０００２】
非特許文献１には、ＲＮＣ（Radio Network Controller）を複数のＣＮノード（Core Network Node）に接続するＩｕ−Ｆｌｅｘについて記載されている。複数のＣＮノードはＲＮＣに対しメッシュ状に接続されており、通信網側における負荷分散が可能となる。ここで、ＣＮノードの例としては、パケット通信網で用いられるＳＧＳＮ（Serving GPRS Support Node）や、電話回線網で用いられるＭＳＣ／ＶＬＲ（Mobile Switching Center／Visitor Location Register）がある。上記のＩｕ−Ｆｌｅｘにおいては、ＳＧＳＮ及びＭＳＣ／ＶＬＲをそれぞれ独立して利用する場合や、ＳＧＳＮ及びＭＳＣ／ＶＬＲを連携して利用する場合がある。
【先行技術文献】
【非特許文献】
【０００３】
【非特許文献１】３ＧＰＰ  ＴＳ  ２３．２３６  Ｖ８．０．０（２００８−１２）
【発明の概要】
【発明が解決しようとする課題】
【０００４】
しかしながら、在圏のＣＮノードが故障する等して利用できなくなると、ＭＳはパケット通信や電話通信が継続できなくなるおそれがあり、故障等して利用できなくなった在圏のＣＮノードに替えて、他の利用可能なＣＮノードを利用するための技術が望まれている。これまでの技術で、該当ＭＳからの位置登録や発信を契機に無線ネットワークが他の利用可能な交換機を選択し、最終的に通信可能状態に遷移することは可能であるが、該当ＭＳへ着信しようとする呼を契機に通信可能状態に遷移する考慮はなく、通信不可能な状態が長時間化する恐れがある。そこで、本発明は、在圏の交換機が利用できない場合でも通信を継続することが可能な交換機、通信制御システム、及び、通信制御方法を提供することを目的としている。
【課題を解決するための手段】
【０００５】
本発明の交換機は、交換機選択装置に接続された交換機群に含まれており、無線ネットワーク制御装置を介して通信端末を通信網に接続する交換機であって、当該交換機以外の上記交換機群に含まれる他の一の交換機を特定するための特定情報を有しており当該交換機を識別する識別情報を作成する識別情報作成手段と、上記無線ネットワーク制御装置を介して上記通信端末に上記識別情報作成手段によって作成された識別情報を通知すると共に、上記通信端末に通知する識別情報に含まれている特定情報と同一の特定情報を上記交換機選択装置に通知する情報通知手段と、を備え、上記情報通知手段によって上記通信端末及び上記交換機選択装置に通知される特定情報は、上記交換機選択装置と、当該特定情報を含む識別情報を上記通信端末から受信した無線ネットワーク制御装置とが、上記他の一の交換機を一意に特定できる情報である、ことを特徴とする。従って、無線ネットワーク制御装置と交換機選択装置とは、当該交換機以外の他の一の交換機を特定するための特定情報を用いることができるので、交換機を利用できなくなった場合でも、特定情報を用いれば、無線ネットワーク制御装置と交換機選択装置とが当該他の一の交換機を一意に特定できる。従って、通信端末の通信の継続が可能となる。
【０００６】
また、本発明の通信制御システムは、通信端末を通信網に接続する通信制御システムであって、上記通信端末に接続される無線ネットワーク制御装置と、上記通信端末を上記無線ネットワークを介して上記通信網に接続する交換機と、上記交換機を含む交換機群に接続された交換機選択装置と、を備え、上記交換機は、当該交換機以外の上記交換機群に含まれる他の一の交換機を特定するための特定情報を有しており当該交換機を識別する識別情報を作成する識別情報作成手段と、上記無線ネットワーク制御装置を介して上記通信端末に上記識別情報作成手段によって作成された識別情報を通知すると共に、上記通信端末に通知する識別情報に含まれている特定情報と同一の特定情報を上記交換機選択装置に通知する情報通知手段と、を有し、特定情報を含む識別情報を上記通信端末から受信した上記無線ネットワーク制御装置と、この特定情報を上記情報通知手段によって通知された上記交換機選択装置とは、この特定情報から上記他の一の交換機を一意に特定する、ことを特徴とする。従って、無線ネットワーク制御装置と交換機選択装置とは、当該交換機以外の他の一の交換機を特定するための特定情報を用いることができるので、交換機を利用できなくなった場合でも、特定情報を用いれば、無線ネットワーク制御装置と交換機選択装置とが当該他の一の交換機を一意に特定できる。従って、通信端末の通信の継続が可能となる。
【０００７】
また、本発明の通信制御システムにおいて、上記交換機選択装置は、上記交換機の利用が不可であることを検知した後に上記通信端末に対する着信要求を受けた場合、上記情報通知手段によって通知される特定情報に基づいて上記他の一の交換機を特定し、この特定した交換機に対して上記通信端末に対する着信要求に応じた着信指示を送信し、上記無線ネットワーク制御装置は、上記交換機の利用が不可であることを検知した後に上記通信端末から通信要求を受けた場合、上記情報通知手段によって上記通信端末に通知された後に上記通信端末から受信する識別情報に含まれている特定情報に基づいて上記他の一の交換機を特定し、この特定した交換機に対して上記通信端末の通信要求に応じた通信指示を送信する。従って、無線ネットワーク制御装置と交換機選択装置とは、交換機を利用できなくなった場合でも、共有する特定情報に基づいて、当該交換機以外の他の一の交換機を利用することがきるので、通信端末の通信が継続される。
【０００８】
また、本発明の通信制御方法は、交換機選択装置に接続された交換機群に含まれており無線ネットワーク制御装置を介して通信端末を通信網に接続する交換機が行う通信制御方法であって、上記交換機以外の上記交換機群に含まれる他の一の交換機を特定するための特定情報を有しており上記交換機を識別する識別情報を上記交換機が作成する識別情報作成ステップと、上記識別情報作成ステップにおいて作成された識別情報を上記無線ネットワーク制御装置を介して上記通信端末に上記交換機が通知すると共に、上記通信端末に通知する識別情報に含まれている特定情報と同一の特定情報を上記交換機選択装置に上記交換機が通知する情報通知ステップと、を含み、上記情報通知ステップにおいて上記通信端末及び上記交換機選択装置に通知される特定情報は、上記交換機選択装置と、当該特定情報を含む識別情報を上記通信端末から受信した無線ネットワーク制御装置とが、上記他の一の交換機を一意に特定できる情報である、ことを特徴とする。従って、無線ネットワーク制御装置と交換機選択装置とは、当該交換機以外の他の一の交換機を特定するための特定情報を用いることができるので、交換機を利用できなくなった場合でも、特定情報を用いれば、無線ネットワーク制御装置と交換機選択装置とが当該他の一の交換機を一意に特定できる。従って、通信端末の通信の継続が可能となる。
【０００９】
また、本発明の通信制御方法において、上記交換機選択装置は、上記交換機の利用が不可であることを検知した後に上記通信端末に対する着信要求を受けた場合、上記情報通知ステップにおいて通知された特定情報に基づいて上記他の一の交換機を特定し、この特定した交換機に対して上記通信端末に対する着信要求に応じた着信指示を送信する着信指示ステップと、上記無線ネットワーク制御装置は、上記交換機の利用が不可であることを検知した後に上記通信端末から通信要求を受けた場合、上記交換機が情報通知ステップにおいて上記通信端末に通知した後に上記通信端末から受信する識別情報に含まれている特定情報に基づいて上記他の一の交換機を特定し、この特定した交換機に対して上記通信端末の通信要求に応じた通信指示を送信する通信指示ステップと、を更に含むことができる。従って、無線ネットワーク制御装置と交換機選択装置とは、交換機を利用できなくなった場合でも、共有する特定情報に基づいて、当該交換機以外の他の一の交換機を利用することがきるので、通信端末の通信が継続される。
【発明の効果】
【００１０】
本発明によれば、在圏の交換機が故障等で利用できない場合でも通信を継続することができる。
【図面の簡単な説明】
【００１１】
【図１】図１は、本発明の実施形態に係る通信制御システムの構成を示す図である。
【図２】図２は、本発明の実施形態に係る具体的な通信制御システムの構成の一例を示す図である。
【図３】図３は、本発明の実施形態に係る交換機のハードウェア構成図である。
【図４】図４は、本発明の実施形態に係る交換機の機能ブロック図である。
【図５】図５は、本発明の実施形態に係る通信制御システムにおいて、交換機が識別情報を払い出す動作を説明するためのシーケンスである。
【図６】図６は、本発明の実施形態に係る通信制御システムの動作において、在圏の交換機の代替交換機を特定する動作を説明するための他のシーケンスである。
【図７】図７は、本発明の実施形態に係る通信制御システムにおいて、在圏の交換機の代替交換機を特定する他の動作を説明するための他のシーケンスである。
【発明を実施するための形態】
【００１２】
以下、図面を参照して、本発明に係る好適な実施形態について詳細に説明する。なお、図面の説明において、可能な場合には、同一要素には同一符号を付し、重複する説明を省略する。まず、図１〜図４を用いて、実施形態に係る通信制御システム１について説明する。図１は、本実施形態の通信制御システムの構成を示す図である。通信制御システム１は、ＭＳ９、ＲＮＣ７、交換機３１〜交換機３３、及び、交換機選択装置５を備える。ＲＮＣ７は交換機３１〜交換機３３のそれぞれに接続される。交換機３１〜交換機３３は、一の交換機群を構成し、交換機選択装置５及びＲＮＣ７のそれぞれに対して並列に接続される。なお、図１に示す交換機群は三つの交換機３１〜交換機３３から成るものとしているが、これに限らず、交換機群は複数の交換機から成るものであればよい。
【００１３】
通信制御システム１は、ＭＳ９を、例えば電話回線網やパケット通信網等の通信網１１に接続する。ＭＳ９は、例えば携帯電話等の通信端末であり、通信網１１に接続されている他の携帯電話やサーバコンピュータ等と通信を行う。
【００１４】
交換機３１は、ＭＳ９が行う通信をＲＮＣ７を介して通信網１１に接続する。交換機３１は、パケット交換機（以下、ＳＧＳＮという）、または、回線交換機（“Mobile Switching Center”と“Visitor Location Register”の機能を有する機器であり、以下、ＭＳＣ／ＶＬＲという）である。交換機３２及び交換機３３も交換機３１と同一の構成を有している。
【００１５】
交換機選択装置５は、ＭＳ９に対する着信要求に応じて、ＲＮＣ７に接続された交換機群（交換機３１〜交換機３３）から一の交換機を選択する。交換機選択装置５は、特に、ＭＳ９の在圏の交換機（以下、交換機３１をＭＳ９の在圏の交換機とする）をこの交換機群から選択する。また、交換機選択装置５は、例えば、定期的に交換機３１〜交換機３３と通信を行い、何れかの交換機の利用が不可になった場合、この旨を検知する構成を有することができる。また、交換機選択装置５は、ＭＳ９の在圏の交換機を特定する情報を保持する（又は、他のノードから取得した後に一時的に保持する）、或いは、交換機選択装置５は、ＭＳ９に関する加入者プロファイル（ＭＳ９の在圏の交換機を特定する情報を含む）を保持する（又は、他のノードから取得した後に一時的に保持する）。
【００１６】
ＲＮＣ７は、ＭＳ９を通信網１１に接続するための無線ネットワーク制御装置である。ＲＮＣ７は、例えば、定期的に交換機３１〜交換機３３と通信を行い、何れかの交換機の利用が不可になった場合、この旨を検知する構成を有することもできる。ＲＮＣ７は、ＭＳ９からの通信を受け付ける際、通信端末を識別するための識別情報を含む“ＲＲＣ−Ｃｏｎｎｅｃｔｉｏｎ  Ｒｅｑｕｅｓｔ”を受ける。ＲＮＣ７は、識別情報をＲＮＣ７のメモリに保持する。なお、非特許文献１においては、本識別情報はＭＳ９の在圏の交換機を識別するためには利用しないが、情報要素としてＭＳ９の在圏の交換機を識別する情報も含まれているため、本実施形態において、交換機を識別するための情報としても利用する。
【００１７】
ＭＳ９がＲＮＣ７に送信する識別情報は、“ＴＭＳＩ”（Temporary Mobile Station Identity）、“Ｐ−ＴＭＳＩ”（Packet Temporary Mobile Subscriber Identity）、“ＩＭＳＩ”（International Mobile Subscriber Identity）、“ＩＭＥＩ”（International Mobile Equipment Identity）の何れかである。ＭＳ９は、“ＴＭＳＩ”、“Ｐ−ＴＭＳＩ”、“ＩＭＳＩ”、“ＩＭＥＩ”の優先順位でＲＮＣ７に送信する識別情報を決定する。例えば、ＭＳ９が“ＴＭＳＩ”を保持していれば、識別情報として“ＴＭＳＩ”をＲＮＣ７に送信する。また、ＳＧＳＮ及びＭＳＣ／ＶＬＲを連携して利用する構成の通信制御システム１の場合、ＭＳ９は、“ＴＭＳＩ”を識別情報としてＲＮＣ７に送信する。ＳＧＳＮ及びＭＳＣ／ＶＬＲを連携して利用する構成ではなくＳＧＳＮを単独で利用する構成の通信制御システム１の場合、ＭＳ９は“Ｐ−ＴＭＳＩ”を識別情報としてＲＮＣ７に送信し、また、ＳＧＳＮ及びＭＳＣ／ＶＬＲを連携して利用する構成ではなくＭＳＣ／ＶＬＲを単独で利用する構成の通信制御システム１の場合、ＭＳ９は“ＴＭＳＩ”を識別情報としてＲＮＣ７に送信する。
【００１８】
ここで、通信制御システム１の具体例を示す。例えば、ＳＧＳＮ及びＭＳＣ／ＶＬＲを連携して利用する構成ではなくＳＧＳＮを単独で利用する構成の通信制御システム１の場合、図１に示す交換機３１〜交換機３３は、何れもＳＧＳＮであり、図１に示す交換機選択装置５はＳＧＳＮ選択装置であり、図１に示す通信網１１はパケット通信網である。また、ＳＧＳＮ及びＭＳＣ／ＶＬＲを連携して利用する構成ではなくＭＳＣ／ＶＬＲを単独で利用する構成の通信制御システム１の場合、図１に示す交換機３１〜交換機３３は、何れもＭＳＣ／ＶＬＲであり、図１に示す交換機選択装置５はＭＳＣ／ＶＬＲ選択装置であり、図１に示す通信網１１は電話回線網である。また、ＳＧＳＮ及びＭＳＣ／ＶＬＲを連携して利用する場合の通信制御システム１の構成を図２に示す。このような通信制御システム１の構成としては、図１に示す交換機３１〜交換機３３が、それぞれ、図２に示すＳＧＳＮ＃１〜ＳＧＳＮ＃３であり、図１に示す交換機選択装置５が図２に示すＳＧＳＮ選択装置であり、図１に示す通信網１１が図２に示すパケット通信網である場合と、図１に示す交換機３１〜交換機３３が、それぞれ、図２に示すＭＳＣ／ＶＬＲ＃１〜ＭＳＣ／ＶＬＲ＃３であり、図１に示す交換機選択装置５が図２に示すＭＳＣ／ＶＬＲ選択装置であり、図１に示す通信網１１が図２に示す電話回線網である場合と、が考えられる。なお、図２において、ＲＮＣ７は、ＳＧＳＮ＃１〜ＳＧＳＮ＃３のそれぞれに接続され、ＳＧＳＮ＃１は、ＭＳＣ／ＶＬＲ＃１〜ＭＳＣ／ＶＬＲ＃３のそれぞれに接続され、ＳＧＳＮ＃２は、ＭＳＣ／ＶＬＲ＃１〜ＭＳＣ／ＶＬＲ＃３のそれぞれに接続され、ＳＧＳＮ＃３は、ＭＳＣ／ＶＬＲ＃１〜ＭＳＣ／ＶＬＲ＃３のそれぞれに接続される。ＳＧＳＮ選択装置は、ＳＧＳＮ＃１〜ＳＧＳＮ＃３のそれぞれに接続され、ＭＳＣ／ＶＬＲ選択装置は、ＭＳＣ／ＶＬＲ＃１〜ＭＳＣ／ＶＬＲ＃３のそれぞれに接続される。ＲＮＣ７は、ＭＳＣ／ＶＬＲ＃１〜ＭＳＣ／ＶＬＲ＃３のそれぞれにも接続されている。ＳＧＳＮ＃１〜ＳＧＳＮ＃３は一の交換機群を構成し、ＭＳＣ／ＶＬＲ＃１〜ＭＳＣ／ＶＬＲ＃３は一の交換機群を構成する。
【００１９】
次に、図３及び図４を参照して、交換機３１〜交換機３３の構成を説明する。なお、交換機３１〜交換機３３は同一の構成を有しているので、交換機３１の構成のみを説明し、交換機３２及び交換機３３の構成の説明を省略する。
【００２０】
図３は、交換機３１の物理的な構成を示す図である。交換機３１は、物理的には、ＣＰＵ３１ａ、主記憶装置であるＲＯＭ３１ｂ及びＲＡＭ３１ｃと、交換機選択装置５及びＲＮＣ７や他の交換機と通信可能なインターフェースを有する通信装置３１ｄと、ハードディスク等の記憶装置３１ｅとを含むコンピュータシステムとして構成されている。そして、ＣＰＵ３１ａ、ＲＯＭ３１ｂ、ＲＡＭ３１ｃ、通信装置３１ｄ、及び、記憶装置３１ｅは、バス３１ｆを介して相互に接続されている。
【００２１】
図４は、交換機３１の機能的な構成を示す図である。交換機３１は、識別情報作成部３１１、情報通知部３１２、及び、プロファイル取得部３１３を含む。識別情報作成部３１１〜プロファイル取得部３１３は、図３に示すＣＰＵ３１ａ及びＲＡＭ３１ｃ等のハードウェア上に所定のコンピュータソフトウェアを読み込ませることにより、ＣＰＵ３１ａの制御のもとで通信装置３１ｄ等を動作させると共に、ＲＡＭ３１ｃ及び記憶装置３１ｅにおけるデータの読み出し及び書き込みを行うことで実現される。
【００２２】
識別情報作成部３１１は、ＭＳ９の在圏する交換機３１を識別するための識別情報を作成する。識別情報は、交換機３１を特定できる情報、すなわち、交換機３１の“ＮＲＩ”（Network Resource Identifier）を含む“ＴＭＳＩ”または“Ｐ−ＴＭＳＩ”である。特に、識別情報作成部３１１は、交換機選択装置５及びＲＮＣ７に対し並列に接続されている交換機群（交換機３１〜交換機３３）から交換機３１以外の他の一の交換機を特定するための特定情報を含む識別情報を作成する。特定情報によって特定される他の一の交換機とは、交換機３１が故障等して利用できなくなった場合に、代替として利用される交換機である（本実施形態においては、このように代替して利用される交換機を交換機３２として説明する）。特定情報は、ＲＮＣ７及び交換機選択装置５のいずれによっても、交換機３２が一意に特定される情報である。特定情報の具体例としては、交換機３２の“ＮＲＩ”を導出可能なＮＲＩ導出要素値がある（ＮＲＩ導出要素値を用いた“ＮＲＩ”の導出方法については後述する）。交換機選択装置５とＲＮＣ７は、何れも、特定情報から交換機３２（交換機３２の“ＮＲＩ”）を特定できる構成を有する。
【００２３】
ここで、識別情報（“ＴＭＳＩ”又は“Ｐ＿ＴＭＳＩ”）は、予め規定されている領域と、予め規定されていない領域とを含む。予め規定されている領域は、在圏の交換機の“ＮＲＩ”が記録されているＮＲＩ格納領域等を有する。予め規定されていない領域は、加入者識別子払い出し領域等を有する。例えば、識別情報のＮＲＩ格納領域には、交換機３１の“ＮＲＩ”が含まれることができ、予め規定されていない領域には、ＮＲＩ導出要素値が特定情報として含まれることができる。ＮＲＩ導出要素値としては、予め規定されていない領域に含まれる空き領域に設定しても良いし、例えば加入者識別子等のすでに別の理由で規定されている領域の一部（この領域の一部に設定されているデータ）を特定情報と兼用させることも可能である。
【００２４】
なお、識別情報作成部３１１は、識別情報における予め規定されていない領域に、交換機３１を代替する交換機３２の“ＮＲＩ”を導出可能なＮＲＩ導出要素値を含めるとしたが、これに限らず、交換機３１を代替する交換機３２の“ＮＲＩ”自体を特定情報としてこの予め規定されていない領域に含めることもできる。
【００２５】
ここで、交換機選択装置５及びＲＮＣ７が、交換機３１を代替する交換機３２の“ＮＲＩ”をＮＲＩ導出要素値から導出する導出方法の一例を説明する。交換機選択装置５及びＲＮＣ７に接続されている交換機群は、三つの交換機、すなわち、交換機３１〜交換機３３、を有しており、交換機３１〜交換機３３のそれぞれの“ＮＲＩ”が“１”、“２”、３”であるとする。また、“ＮＲＩ”が“１”の交換機３１が故障しているとし、ＮＲＩ導出要素値が“１０”であるとする。まず、ＮＲＩ導出要素値“１０”を、故障していない正常な交換機の数“２”で割った余りを計算する。この場合、“１０”を“２”で割り、余りは“０”（余りが無いことを意味しており、以下、“０”も余りであるとして説明する）となる。なお、ＮＲＩ導出要素値を正常な交換機の数で割った余りは、正常な交換機の“ＮＲＩ”に、小さい順にマッピングされる。具体的には、最も小さな余り“０”は、正常な交換機の“ＮＲＩ”の最も小さい“２”にマッピングされ、“０”の次に小さな余り“１”は、“２”の次に大きい正常な交換機の“ＮＲＩ”である“３”にマッピングされる。本計算において余りは“０”となるので、ＮＲＩ導出要素値から導かれる“ＮＲＩ”は“２”となる。
【００２６】
情報通知部３１２は、識別情報作成部３１１によって作成された識別情報を、ＲＮＣ７を介してＭＳ９に通知すると共に、ＭＳ９に通知するこの識別情報に含まれる特定情報と同一の特定情報を交換機選択装置５に通知する。情報通知部３１２によってＭＳ９及び交換機選択装置５に通知される特定情報は、交換機選択装置５と、この特定情報を含む識別情報をＭＳ９から受信したＲＮＣ７とが、交換機３１の代替の交換機３２を一意に特定できる情報である。この場合、ＲＮＣ７は、情報通知部３１２から送信された識別情報をＭＳ９に渡すが、この識別情報をＲＮＣ７のメモリに格納しない。また、情報通知部３１２は、特定情報を、識別情報に含ませずに単独で、交換機選択装置５に通知してもよいし、特定情報を、識別情報に含ませて通知してもよい。
【００２７】
なお、交換機選択装置５は、例えば、交換機３１の利用が不可であることを検知した後にＭＳ９に対する着信要求を受けた場合、情報通知部３１２によって通知された特定情報に基づいて、交換機３１の代替の交換機３２を特定し、この特定した交換機３２に対してＭＳ９に対する着信要求に応じた着信指示を送信する。この場合、ＲＮＣ７は、情報通知部３１２によってＭＳ９に通知された後にＭＳ９から受信する識別情報に含まれている特定情報（交換機選択装置５と共有する特定情報）に基づいて、交換機選択装置５が特定した交換機３２を特定し、この特定した交換機３２に対してＭＳ９の通信要求に応じた通信指示を送信する。このようにして、特定情報を含む識別情報をＭＳ９から受信したＲＮＣ７と、この特定情報を情報通知部３１２によって通知された交換機選択装置５とは、この特定情報から、交換機３１の代替の交換機３２を一意に特定する。
【００２８】
プロファイル取得部３１３は、ＨＬＲ（Home Location Register）等の加入者情報データベースから加入者プロファイルの取得及び再取得（リストア）を行う。加入者プロファイルは、例えば、交換機３１に在圏しているＭＳ９に関する登録情報等である。
【００２９】
次に、図５〜図７を参照して、上記構成の通信制御システム１の動作を説明する。図５は、交換機３１の識別情報作成部３１１が、特定情報を含む識別情報を作成し、情報通知部３１２が、識別情報作成部３１１によって作成された識別情報をＲＮＣ７を介してＭＳ９に通知すると共に、この識別情報に含まれている特定情報と同一の特定情報を交換機選択装置５に通知する処理を示すシーケンスである。
【００３０】
まず、識別情報作成部３１１が、交換機３１の代替の交換機３２を特定するための特定情報を含む識別情報（この識別情報は、交換機３１を識別するための“ＮＲＩ”を含む）を作成する（ステップＳ１、識別情報作成ステップ）。次に、情報通知部３１２は、ステップＳ１において作成された識別情報に含まれている特定情報（又は、この特定情報を含む識別情報）を交換機選択装置５に通知する（ステップＳ２、情報通知ステップ）。ステップＳ１及びステップＳ２の処理が行われるタイミングは様々であり、一例として、ＭＳ９の位置登録時である。次に、交換機選択装置５は、ステップＳ２において通知された特定情報を交換機選択装置５のメモリ等に保持する（ステップＳ３）。交換機選択装置５は、ステップＳ３において交換機選択装置５のメモリ等に保持した特定情報に基づいて、ＭＳ９の在圏の交換機３１が利用不可となった場合に利用する代替の交換機３２を特定することができる。
【００３１】
また、情報通知部３１２は、ステップＳ１において作成された識別情報を、ＲＮＣ７を介して（ステップＳ４、情報通知ステップ）、ＭＳ９に通知する（ステップＳ５、情報通知ステップ）。ステップＳ４において、ＲＮＣ７は、情報通知部３１２から送信された識別情報をＭＳ９に渡す処理を行うが、この識別情報をＲＮＣ７のメモリに格納する処理を行わない。次に、ＭＳ９は、ステップＳ５において通知された識別情報を、ＭＳ９のメモリ等に保持する（ステップＳ６）。ＲＮＣ７は、ＭＳ９が通信開始時にＲＮＣ７に送信する識別情報とこの識別情報に含まれる特定情報とに基づいて、ＭＳ９の在圏交換機３１と、この交換機３１が利用不可となった場合に利用する交換機３２（交換機選択装置５によって特定される交換機）と、を特定することができる。交換機選択装置５とＭＳ９とは、ＭＳ９についての同一の特定情報を保持する。ＭＳ９が保持する特定情報は、ＭＳ９の上記メモリ等に保持される識別情報に含まれる。ステップＳ２及びステップＳ５においてＭＳ９及び交換機選択装置５に通知される特定情報は、交換機選択装置５と、この特定情報を含む識別情報をＭＳ９から受信したＲＮＣ７とが、交換機３１の代替の交換機３２を一意に特定できる情報である。なお、上記説明において、ステップＳ２及びステップＳ３の後にステップＳ４〜ステップＳ６が続くと説明したが、ステップＳ１の後にステップＳ４〜ステップＳ６が続き、その後にステップＳ２及びステップＳ３が実行されてもよい。
【００３２】
図５のシーケンスに示す通信制御システム１の動作によれば、ＭＳ９の在圏の交換機３１は、交換機３１が故障等して利用不可となった場合の代替の交換機３２を特定するための特定情報を含む識別情報をＭＳ９に送信し、この特定情報と同一の特定情報（又は、ＭＳ９に送信した識別情報と同一の識別情報）を交換機選択装置５に送信する。ＭＳ９に送信された識別情報は、ＭＳ９からＲＮＣ７に送信される。従って、例えば、ＭＳ９の在圏の交換機３１が利用できない場合であっても、交換機選択装置５及びＭＳ９は、共有する特定情報に基づいて、交換機３１の代替の交換機３２を利用することができるので、ＭＳ９の通信が継続される。
【００３３】
図６は、図５のシーケンスに示す処理の後、交換機３１が故障した場合に、交換機選択装置５が通信網１１からＭＳ９に対する着信要求を受けた際に行われる処理を示すシーケンスである。なお、図６のシーケンスに示す処理は、図５のシーケンスが行われた後に行われる。すなわち、ＭＳ９と交換機選択装置５とが、交換機３１の代替の交換機３２を特定するための特定情報を保持していることが前提となる。
【００３４】
まず、交換機選択装置５は、例えば、定期的に交換機３１〜交換機３３と通信を行い（ステップＳ７）、定期的に通信を行う中で交換機選択装置５が交換機３１の利用が不可になったことを検知する（ステップＳ８）。なお、ステップＳ７及びステップＳ８の処理に替えて、通信制御システム１が交換機の状態を監視する監視用装置を有し、この監視用装置が交換機３１の利用が不可になったことを検知し、この監視用装置がこの検知結果を交換機選択装置５に通知することができる。
【００３５】
ステップＳ８の後、ＲＮＣ７は、例えば、定期的に交換機３１〜交換機３３と通信を行い（ステップＳ９）、定期的に通信を行う中でＲＮＣ７が交換機３１の利用が不可になったことを検知する（ステップＳ１０）。なお、ステップＳ９及びステップＳ１０の処理に替えて、上記監視用装置が、交換機３１の利用が不可になった旨をＲＮＣ７に通知することができる。なお、上記説明において、ステップＳ７及びステップＳ８の後にステップＳ９及びステップＳ１０が続くと説明したが、まずステップＳ９及びステップＳ１０が実行され、その後にステップＳ７及びステップＳ８が実行されてもよい。
【００３６】
次に、交換機選択装置５は、通信網１１側からＭＳ９に対する着信要求を受ける（ステップＳ１１）。次に、交換機選択装置５は、交換機３１の利用が不可であることをステップＳ８において検知しているので、ステップＳ２において交換機３１から通知された特定情報に基づいて交換機３１の代替の交換機３２を特定する（ステップＳ１２）。次に、交換機選択装置５は、ステップＳ１１で受けた着信要求に応じた着信指示を、ステップＳ１２において特定した交換機３２に送信する（ステップＳ１３、着信指示ステップ）。
【００３７】
次に、交換機３２のプロファイル取得部（交換機３１のプロファイル取得部３１３に対応）は、交換機３２の加入者プロファイルにＭＳ９の情報が無いことを検知する。そして、交換機３２のプロファイル取得部は、ＭＳ９の加入者プロファイルのリストアを開始する（ステップＳ１４）。次に、交換機３２は、ＲＮＣ７に対して、“ＩＭＳＩ＿Ｐａｇｉｎｇ”を送信する（ステップＳ１５）。次に、ＲＮＣ７は、ＭＳ９に対して、“ＩＭＳＩ＿Ｐａｇｉｎｇ”を送信する（ステップＳ１６）。次に、ＭＳ９は、ＲＮＣ７に対して、ステップＳ４及びステップＳ５で交換機３１からＲＮＣ７を介して通知された識別情報を含む“ＲＲＣ−Ｃｏｎｎｅｃｔｉｏｎ  Ｒｅｑｕｅｓｔ”を送信する（ステップＳ１７）。次に、ＭＳ９は、ＲＮＣ７に対して、“ＩＤＮＮＳ”を含む“ＲＲＣ−Ｉｎｉｔｉａｌ＿ＤＴ”を送信する（ステップＳ１８）。“ＩＤＮＮＳ”は、“Ｒｅｓｐｏｎｓｅ  ｔｏ  ＩＭＳＩ  Ｐａｇｉｎｇ”や、“ＩＭＳＩ  Ａｔｔａｃｈ”等の応答情報を含む。
【００３８】
次に、ＲＮＣ７は、ステップＳ１８においてＭＳ９から受信した“ＩＤＮＮＳ”の応答情報からではＭＳ９の在圏の交換機が特定できないと判断すると、ステップＳ１７においてＭＳ９から受信した識別情報に基づいて交換機３１を特定するが、ステップＳ１０において交換機３１の利用が不可であることを検知しているので、この識別情報に含まれる特定情報（交換機選択装置５と共有する特定情報）に基づき、交換機選択装置５がステップＳ１２において特定したものと同一の交換装置、すなわち交換機３２を特定する（ステップＳ１９）。ステップＳ１９の後、ＲＮＣ７は、ステップＳ１９において特定した交換機３２に通信指示を送信する（ステップＳ２０、通信指示ステップ）。
【００３９】
図６のシーケンスに示す通信制御システム１の動作によれば、ＭＳ９の在圏の交換機３１が利用できない場合であっても、交換機選択装置５及びＲＮＣ７は、共有する特定情報に基づき、ＭＳ９の代替の交換機３２を利用することができるので、ＭＳ９の通信が継続される。
【００４０】
以下、交換機３１〜交換機３３からなる交換機群を、ＳＧＳＮからなる交換機群又はＭＳＣ／ＶＬＲからなる交換機群として、図５及び図６に示す本実施形態の具体例を説明する。
【００４１】
本実施形態は、まず、交換機３１〜交換機３３がＭＳＣ／ＶＬＲからなる交換機群であり、通信制御システム１がＳＧＳＮ及びＭＳＣ／ＶＬＲを連携して利用する構成を有しており、交換機３１が故障した場合、及び、交換機３１〜交換機３３がＭＳＣ／ＶＬＲからなる交換機群であり、通信制御システム１がＳＧＳＮ及びＭＳＣ／ＶＬＲを連携して利用する構成ではなくＭＳＣ／ＶＬＲを単独で利用する構成を有しており、交換機３１が故障した場合、に適用できる。この場合、図６のシーケンスのステップＳ１７においてＭＳ９からＲＮＣ７に送信される“ＲＲＣ−Ｃｏｎｎｅｃｔｉｏｎ  Ｒｅｑｕｅｓｔ”に含まれる識別情報は、“ＴＭＳＩ”である。また、図５のシーケンスにおいて、交換機３１が、特定情報を識別情報に含ませて、この識別情報を交換機選択装置５に送信する場合には、この識別情報も“ＴＭＳＩ”である。なお、この場合、“ＴＭＳＩ”には交換機３１の“ＮＲＩ”と、特定情報として交換機３２の“ＮＲＩ”を導出可能なＮＲＩ導出要素値とが含まれている。また、図６のステップＳ１８においてＭＳ９からＲＮＣ７に送信される“ＲＲＣ−Ｉｎｉｔｉａｌ＿ＤＴ”の“ＩＤＮＮＳ”に含まれる応答情報は、“Ｒｅｓｐｏｎｓｅ  ｔｏ  ＩＭＳＩ  Ｐａｇｉｎｇ”である。
【００４２】
また、本実施形態は、交換機３１〜交換機３３がＳＧＳＮからなる交換機群であり、通信制御システム１がＳＧＳＮ及びＭＳＣ／ＶＬＲを連携して利用する構成を有しており、交換機３１が故障した場合、に適用できる。この場合、交換機選択装置５は、ＳＧＳＮ選択装置であり、図５のシーケンスの処理に替えて、ＭＳ９の在圏のＭＳＣ／ＶＬＲが、代替として用いる交換機３２の“ＮＲＩ”を導出するための特定情報であるＮＲＩ導出要素値を交換機選択装置５、ＭＳ９及びＭＳＣ／ＶＬＲ選択装置に送信する処理を行い（ＭＳ９には、交換機３２の“ＮＲＩ”を導出するためのＮＲＩ導出要素値を含む識別情報“ＴＭＳＩ”がＭＳ９の在圏のＭＳＣ／ＶＬＲから送信されるが、交換機選択装置５及びＭＳＣ／ＶＬＲ選択装置にも、交換機３２の“ＮＲＩ”を導出するためのＮＲＩ導出要素値を含む識別情報“ＴＭＳＩ”がＭＳ９の在圏のＭＳＣ／ＶＬＲから送信されてもよい）、図６のシーケンスのステップＳ１７においてＭＳ９からＲＮＣ７に送信される“ＲＲＣ−Ｃｏｎｎｅｃｔｉｏｎ  Ｒｅｑｕｅｓｔ”に含まれる識別情報はＭＳ９の在圏のＭＳＣ／ＶＬＲから送信された“ＴＭＳＩ”であり、図６のシーケンスのステップＳ１８においてＭＳ９からＲＮＣ７に送信される“ＲＲＣ−Ｉｎｉｔｉａｌ＿ＤＴ”の“ＩＤＮＮＳ”に含まれる応答情報は“ＩＭＳＩ  Ａｔｔａｃｈ”である。交換機選択装置５は、ＭＳ９の在圏のＭＳＣ／ＶＬＲから送信される特定情報に基づいて、交換機３２を特定し、ＲＮＣ７は、ＭＳ９から送信される“ＲＲＣ−Ｃｏｎｎｅｃｔｉｏｎ  Ｒｅｑｕｅｓｔ”の識別情報に含まれている特定情報（交換機選択装置５の特定情報と同一の特定情報）に基づいて、交換機３２を特定する。なお、図６のシーケンスのステップＳ１２の処理に換えて交換機選択装置５がランダムに（又は、任意に）ＳＧＳＮを選択する処理を行い、また、ステップＳ１９の処理に換えてＲＮＣ７がランダムにＳＧＳＮを選択する処理を行うことができる。
【００４３】
また、本実施形態は、交換機３１〜交換機３３がＳＧＳＮからなる交換機群であり、通信制御システム１がＳＧＳＮ及びＭＳＣ／ＶＬＲを連携して利用する構成ではなくＳＧＳＮを単独で利用する構成を有しており、交換機３１が故障した場合に適用可能である。この場合、交換機選択装置５はＳＧＳＮ選択装置であり、図６のシーケンスのステップＳ１７においてＭＳ９からＲＮＣ７に送信される“ＲＲＣ−Ｃｏｎｎｅｃｔｉｏｎ  Ｒｅｑｕｅｓｔ”に含まれる識別情報は、“Ｐ−ＴＭＳＩ”であり（図５のシーケンスにおいて交換機３１から特定情報を含む識別情報がＭＳ９に送信される場合には、この識別情報も“Ｐ−ＴＭＳＩ”である）、ステップＳ１８においてＭＳ９からＲＮＣ７に送信される“ＲＲＣ−Ｉｎｉｔｉａｌ＿ＤＴ”の“ＩＤＮＮＳ”に含まれる応答情報は“ＩＭＳＩ  Ａｔｔａｃｈである。交換機選択装置５は、交換機３１から送信される特定情報に基づいて、交換機３２を特定し、ＲＮＣ７は、ＭＳ９から送信される“ＲＲＣ−Ｃｏｎｎｅｃｔｉｏｎ  Ｒｅｑｕｅｓｔ”の識別情報“Ｐ＿ＴＭＳＩ”に含まれている特定情報に基づいて、交換機３２を特定する。
【００４４】
本実施形態は、次に、交換機３１〜交換機３３がＳＧＳＮからなる交換機群であり、通信制御システム１がＳＧＳＮ及びＭＳＣ／ＶＬＲを連携して利用する構成を有しており、交換機３１がＭＳ９の加入者プロファイルを消失した場合に適用可能である。この場合、交換機選択装置５はＳＧＳＮ選択装置であり、図５のシーケンスの処理に替えて、ＭＳ９の在圏のＭＳＣ／ＶＬＲが、ＭＳ９の在圏の交換機３１の“ＮＲＩ”を導出するための特定情報であるＮＲＩ導出要素値を交換機選択装置５、ＭＳ９及びＭＳＣ／ＶＬＲ選択装置に送信する処理を行い（ＭＳ９には、交換機３１の“ＮＲＩ”を導出するためのＮＲＩ導出要素値を含む識別情報“ＴＭＳＩ”がＭＳ９の在圏のＭＳＣ／ＶＬＲから送信されるが、交換機選択装置５及びＭＳＣ／ＶＬＲ選択装置にも、交換機３１の“ＮＲＩ”を導出するためのＮＲＩ導出要素値を含む識別情報“ＴＭＳＩ”がＭＳ９の在圏のＭＳＣ／ＶＬＲから送信されてもよい）、図６のシーケンスのステップＳ７〜ステップＳ１０は実行されない。そして、ステップＳ１１の後には、交換機選択装置５は、ステップＳ１２を行わず、ステップＳ１３に対応するタイミングにおいて、交換機３１に着信指示を送信する。なお、ステップＳ１２に対応するタイミングにおいて、交換機選択装置５は、ＭＳ９の在圏のＭＳＣ／ＶＬＲから受信する特定情報を用いて、交換機３１を特定し、ステップＳ１３に対応するタイミングにおいて、交換機３１に着信指示を送信することもできる。次に、ステップＳ１４に対応するタイミングで、交換機３１は、ＭＳ９の加入者プロファイルのリストアを開始する。次に、交換機３１は、ステップＳ１５に対応するタイミングで、ＲＮＣ７に対し、“ＩＭＳＩ＿Ｐａｇｉｎｇ”を送信する。次に、ステップＳ１６〜ステップＳ１８の処理が行われる。なお、ステップＳ１７において、ＭＳ９からＲＮＣ７に送信される識別情報は“ＴＭＳＩ”であり、この“ＴＭＳＩ”には、交換機３１の“ＮＲＩ”を導出するためのＮＲＩ導出要素値が特定情報として含まれている。次に、ＲＮＣ７は、ステップＳ１９に対応するタイミングで、ステップＳ１７においてＭＳ９から受信する識別情報の特定情報に基づいて交換機３１を特定する。次に、ＲＮＣ７は、ステップＳ１９に対応するタイミングで特定した交換機３１に通信指示を送信する。
【００４５】
なお、交換機３１〜交換機３３がＳＧＳＮからなる交換機群であり、通信制御システム１がＳＧＳＮ及びＭＳＣ／ＶＬＲを連携して利用する構成ではなくＳＧＳＮを単独で利用する構成を有しており、交換機３１がＭＳ９の加入者プロファイルを消失した場合（この場合、ステップＳ１７においてＭＳ９からＲＮＣ７に通知される識別情報は“Ｐ−ＴＭＳＩ”）、交換機３１〜交換機３３がＭＳＣ／ＶＬＲからなる交換機群であり、通信制御システム１がＳＧＳＮ及びＭＳＣ／ＶＬＲを連携して利用する構成を有しており、交換機３１がＭＳ９の加入者プロファイルを消失した場合（この場合、ステップＳ１７においてＭＳ９からＲＮＣ７に通知される識別情報は“ＴＭＳＩ”）、及び、交換機３１〜交換機３３がＭＳＣ／ＶＬＲからなる交換機群であり、通信制御システム１がＳＧＳＮ及びＭＳＣ／ＶＬＲを連携して利用する構成ではなくＭＳＣ／ＶＬＲを単独で利用する構成を有しており、交換機３１がＭＳ９の加入者プロファイルを消失した場合（この場合、ステップＳ１７においてＭＳ９からＲＮＣ７に通知される識別情報は“ＴＭＳＩ”）、の何れの場合においても、ＲＮＣ７は、ステップＳ１８においてＭＳ９から受信した“ＩＤＮＮＳ”の応答情報からではＭＳ９の在圏の交換機が特定できないと判断するが、ステップＳ１７においてＭＳ９から通知される識別情報に含まれている“ＮＲＩ”を用いればＭＳ９の在圏の交換機が特定できるので、本実施形態に係る特定情報によらずに、ＭＳ９の通信の継続が可能となる。
【００４６】
なお、図５及び図６のシーケンスに替えて、図７のシーケンスに示す処理が利用できる。図７は、交換機３１が故障した場合に、交換機選択装置５が通信網１１からＭＳ９に対する着信要求を受け、交換機３１以外の他の交換機がＭＳ９に位置登録を促す処理を示すシーケンスである。
【００４７】
まず、図６のシーケンスと同様にステップＳ７〜ステップＳ１１の処理が実行される。次に、交換機選択装置５は、ステップＳ８において交換機３１が利用不可であることを検知すると、交換機３１以外の適当な交換機（例えば交換機３２）に対して、ステップＳ１１で受信した着信要求に応じた着信指示を送信する（ステップＳ１３）。次に、図６のシーケンスと同様のステップＳ１４〜ステップＳ１８が実行される。次に、ステップＳ２１において、ＲＮＣ７は、ステップＳ１８で受信したＩＤＮＮＳから、通信すべき交換機が導出できないため、適当な交換機を選択する（ステップＳ２１）。ここでは交換機３３が選択されたとする。次に、ＲＮＣ７は、ステップＳ２１において選択した交換機３３に対して通信を行う（ステップＳ２２）。次に、交換機３３は、ＭＳ９の加入者プロファイルがないことを検知する（ステップＳ２３）。次に、交換機３３は、ＲＮＣ７に対して、位置登録を促す“Ｒｅｊｅｃｔ  Ｃａｕｓｅ”を送信し（ステップＳ２４）、ＲＮＣ７はＭＳ９に対して、位置登録を促すこの“Ｒｅｊｅｃｔ  Ｃａｕｓｅ”を送信する（ステップＳ２５）。次に、ＭＳ９は、ＲＮＣ７に対して、“ＲＲＣ−Ｃｏｎｎｅｃｔｉｏｎ  Ｒｅｑｕｅｓｔ”を送信する（ステップＳ２６）。次に、ＭＳ９は、ＲＮＣ７に対して、“ＲＲＣ−Ｉｎｉｔｉａｌ＿ＤＴ”を送信する（ステップＳ２７）。次に、ＲＮＣ７は、ＭＳ９の位置登録を行う（ステップＳ２８）。なお、ステップＳ２６〜ステップＳ２８の処理は、通常の位置登録処理に対応している。このように、図７のシーケンスを実行すれば、最終的に、改めて位置登録が実行されるので、ＭＳ９の通信が再開可能となる。
【００４８】
次に、通信制御システム１の作用効果について説明する。交換機３１は、ＭＳ９の在圏の交換機であり、ＲＮＣ７を介してＭＳ９を通信網１１に接続する。交換機３１は、識別情報作成部３１１と情報通知部３１２とを備える。識別情報作成部３１１は、交換機３１を含む交換機群（交換機３１〜交換機３３を含む）から交換機３１以外の他の一の交換機（交換機３２）を代替として特定するための特定情報を含んでおり交換機３１を識別する識別情報を作成する。情報通知部３１２は、識別情報作成部３１１によって作成された識別情報を、ＲＮＣ７を介してＭＳ９に通知すると共に、ＭＳ９に通知する識別情報に含まれている特定情報と同一の特定情報を交換機選択装置５に通知する。また、情報通知部３１２によってＭＳ９及び交換機選択装置５に通知される特定情報は、交換機選択装置５と、当該特定情報を含む識別情報をＭＳ９から受信したＲＮＣ７とが、交換機３１の代替として用いる交換機３２を一意に特定できる情報である。従って、交換機選択装置５とＲＮＣ７とは、交換機３１から、交換機３１以外の他の一の交換機である交換機３２を交換機３１の代替として特定するための特定情報を用いることができるので、交換機３１を利用できなくなった場合でも、この特定情報を用いれば、代替の交換機３２を一意に特定できる。従って、ＭＳ９の通信の継続が可能となる。
【００４９】
通信制御システム１は、ＭＳ９を通信網１１に接続する。通信制御システム１は、ＲＮＣ７とＭＳ９の在圏の交換機３１と交換機選択装置５とを備える。ＲＮＣ７は、ＭＳ９が行う通信を送受信する。ＲＮＣ７及び交換機選択ノード５には交換機３１〜交換機３３が並列に接続されている。交換機３１〜交換機３３は交換機群を成す。交換機３１は、ＭＳ９が行う通信をＲＮＣ７を介して通信網１１に接続する。交換機３１は、識別情報作成部３１１と情報通知部３１２とを備える。識別情報作成部３１１は、交換機群から交換機３１以外の他の一の交換機（交換機３２）を代替として特定するための特定情報を含んでおり交換機３１を識別する識別情報を作成する。情報通知部３１２は、識別情報作成部３１１によって作成された識別情報を、ＲＮＣ７を介してＭＳ９に通知すると共に、ＭＳ９に通知する識別情報に含まれている特定情報と同一の特定情報を交換機選択装置５に通知する。特定情報を含む識別情報をＭＳ９から受信したＲＮＣ７と、この特定情報を情報通知部３１２によって通知された交換機選択装置５とは、この特定情報から、交換機３１の代替として用いる交換機３２を一意に特定する。従って、交換機選択装置５は、交換機３１が利用できない場合、交換機３１から通知される特定情報に基づいて交換機３２を特定し、交換機３２と通信を行うことができる。一方、ＲＮＣ７は、交換機３１が利用できない場合、交換機選択装置５が特定した交換機３２を、情報通知部３１２によってＭＳ９に通知された後にＲＮＣ７がＭＳ９から受信した識別情報に含まれる特定情報（交換機選択装置５と共有する特定情報）に基づいて特定し、交換機３２と通信を行うことができる。このように、ＲＮＣ７と交換機選択装置５とは、交換機３１を利用できなくなった場合でも、交換機３１に替えて交換機３２を用いることができるので、ＭＳ９の通信が継続される。
【００５０】
交換機選択装置５は、交換機３１の利用が不可であることを検知した後にＭＳ９に対する着信要求を受けた場合、情報通知部３１２によって通知された特定情報に基づいて交換機３２を特定し、この特定した交換機３２に対してＭＳ９に対する着信要求に応じた着信指示を送信する。ＲＮＣ７は、交換機３１の利用が不可であることを検知した後にＭＳ９から通信要求を受けた場合、情報通知部３１２によってＭＳ９に通知された後にＭＳ９から受信する識別情報に含まれている特定情報に基づいて交換機選択装置５が特定した交換機３２を特定し、この特定した交換機３２に対してＭＳ９の通信要求に応じた通信指示を送信する。従って、ＲＮＣ７と交換機選択装置５とが交換機３１を利用できなくなった場合でも、通信制御システム１に対しＭＳ９に対する着信があった後に、ＲＮＣ７と交換機選択装置５とは、交換機３１に替えて交換機３２を用いることができるので、ＭＳ９の通信が継続される。
【符号の説明】
【００５１】
１…通信制御システム、５…交換機選択装置５、７…ＲＮＣ、９…ＭＳ、１１…通信網、３１…交換機、３２…交換機、３３…交換機、３１１…識別情報作成部、３１２…情報通知部、３１３…プロファイル取得部。
【図１】
0005289404.tif 000002
【図２】
0005289404.tif 000003
【図３】
0005289404.tif 000004
【図４】
0005289404.tif 000005
【図５】
0005289404.tif 000006
【図６】
0005289404.tif 000007
【図７】
0005289404.tif 000008